(57)【要約】      （修正有）【課題】魚に触れずに、簡単に短時間で魚の口内に刺さった針を外すとともに、魚への負荷を軽減できる針外し治具を提供する。【解決手段】第１の線材２０の先端側２２に誘導フック２４を設け、第２の線材４０の先端側４２に、誘導フック２４が貫通するスリット状の開口部４４を設け、第１の線材２０と第２の線材４０を、ピンにより回動可能に連結する。第１の線材２０の後端と第２の線材４０の後端にかけてワイヤーを設け、第１の線材２０と第２の線材４０の先端側が平行な状態では、誘導フック２４が開口部４４を貫通するよう付勢する。誘導フック２４に、針６０や糸６６を通しておき、誘導フック２４でガイドしながら引き寄せ、針６０が開口部４４に当たったら、第１及び第２の線材を、ワイヤーの付勢力に抗して握ることで、針６０が前記開口部４４のスリットに沿って抜け、魚７０から針６０が外れる。【選択図】図３
2018068121.tif 000002
【特許請求の範囲】
【請求項１】
一端側に糸又は針を掛けるフック部を有し、全体が略直線状の第１の線材と、
一端側に、前記フック部が貫通する開口部を有し、他端側が湾曲した第２の線材と、
前記第１の線材と第２の線材を回動可能に連結する支点と、
該支点と異なる位置に設けられており、前記第１の線材と第２の線材の一端側が平行な状態で、前記フック部が前記開口部を貫通するように付勢する付勢手段と、
を備えるとともに、
前記開口部は、
前記第２の線材の長さ方向に長いスリット状に形成されており、
前記長さ方向の中央部で開口幅が広く、前記長さ方向の両端部で開口幅が狭い形状であることを特徴とする針外し治具。
【請求項２】
前記支点から前記第１の線材の他端までの部分と、
前記支点から前記第２の線材の他端までの部分を、
操作用の把持部とすることを特徴とする請求項１記載の針外し治具。
【請求項３】
前記付勢手段が、
前記第１の線材の他端と、前記第２の線材の他端にかけて設けられていることを特徴とする請求項１又は２記載の針外し治具。
【請求項４】
前記付勢手段が、ワイヤーであることを特徴とする請求項１〜３のいずれか一項に記載の針外し治具。
【発明の詳細な説明】
【技術分野】
【０００１】
本発明は、針外し治具に関し、更に具体的には、釣り上げた魚の口内に刺さっている釣り針を抜き取るのに好適な針外し治具の改良に関するものである。
【背景技術】
【０００２】
従来、魚の口内に刺さった釣り針を外すためには、図４に示すように針外し具１００を使用して、手の力で捻じったり、又は引っ張ったりするなどで返し針を取る（図４参照）。また、作業の際には、直接魚をつかまなくてはいけないことが多い。例えば、下記特許文献１には、釣り針との噛み合いをよくすることで、釣り針が外れやすくし、魚を傷めないような「パイプ型釣針はずし」が提案されている。
【先行技術文献】
【特許文献】
【０００３】
【特許文献１】特開平９−１０７８５８号公報
【発明の概要】
【発明が解決しようとする課題】
【０００４】
しかしながら、上述した図４に示す従来の針外し具１００では、針１０２を引き抜く際は人の力で捻じるか引き抜くかするため、魚１０４の口内を傷つけてしまう。また、奥まで飲み込んでしまった針１０２は、慣れないと取り外すことが難しい。更に、針１０２の取り外し作業の際、魚１０４に触れるのが苦手な人であっても、直接魚に触れなければならない。なお、前記特許文献１に記載の技術も、釣り針との噛み合いを改善したことのほかは、従来と同様の課題を有している。
【０００５】
本発明は、以上のような点に着目したもので、魚に触れることなく、簡単に短時間で魚の口内に刺さった針を取り外して、効率的に釣りを楽しむことに加え、魚への負荷を減らすことができる針外し治具を提供することを、その目的とする。
【課題を解決するための手段】
【０００６】
本発明は、一端側に糸又は針を掛けるフック部を有し、全体が略直線状の第１の線材と、一端側に、前記フック部が貫通する開口部を有し、他端側が湾曲した第２の線材と、前記第１の線材と第２の線材を回動可能に連結する支点と、該支点と異なる位置に設けられており、前記第１の線材と第２の線材の一端側が平行な状態で、前記フック部が前記開口部を貫通するように付勢する付勢手段と、を備えるとともに、前記開口部は、前記第２の線材の長さ方向に長いスリット状に形成されており、前記長さ方向の中央部で開口幅が広く、前記長さ方向の両端部で開口幅が狭い形状であることを特徴とする。
【０００７】
主要な形態の一つは、前記支点から前記第１の線材の他端までの部分と、前記支点から前記第２の線材の他端までの部分を、操作用の把持部とすることを特徴とする。他の形態の一つは、前記付勢手段が、前記第１の線材の他端と、前記第２の線材の他端にかけて設けられていることを特徴とする。更に他の形態の一つは、前記付勢手段が、ワイヤーであることを特徴とする。本発明の前記及び他の目的，特徴，利点は、以下の詳細な説明及び添付図面から明瞭になろう。
【発明の効果】
【０００８】
本発明によれば、一端側に糸又は針を掛けるフック部を有し、全体が略直線状の第１の線材と、一端側に、前記フック部が貫通する開口部を有し、他端側が湾曲した第２の線材と、前記第１の線材と第２の線材を回動可能に連結する支点と、該支点と異なる位置に設けられており、前記第１の線材と第２の線材の先端側が平行な状態で、前記フック部が前記開口部を貫通するように付勢する付勢手段と、を備えるとともに、前記開口部は、前記第２の線材の長さ方向に長いスリット状に形成されており、前記長さ方向の中央部で開口幅が広く、前記長さ方向の両端部で開口幅が狭い形状であることとした。このため、魚に触れることなく、簡単に短時間で魚の口内に刺さった針を取り外して、効率的に釣りを楽しむことに加え、魚への負荷を減らすことができる。
【図面の簡単な説明】
【０００９】
【図１】本発明の実施例１の針外し治具のレバー握り動作前を示す図であり、(A)は全体を示す側面図，(B)は前記(A)の針外し治具の先端部の平面拡大図，(C)は前記先端部の側面拡大図である。
【図２】前記実施例１の針外し治具のレバー握り動作時を示す図であり、(A)は全体を示す側面図，(B)は前記(A)の針外し治具の先端部を示す拡大斜視図である。
【図３】前記実施例１の作用を示す図である。
【図４】背景技術の一例を示す図である。
【発明を実施するための形態】
【００１０】
以下、本発明を実施するための最良の形態を、実施例に基づいて詳細に説明する。
【実施例１】
【００１１】
最初に、図１〜図３を参照しながら本発明の実施例１を説明する。図１は、本実施例の針外し治具のレバー握り動作前を示す図であり、(A)は全体を示す側面図，(B)は前記(A)の針外し治具の先端部の平面拡大図，(C)は前記先端部の側面拡大図である。図２は、本実施例の針外し治具のレバー握り動作時を示す図であり、(A)は全体を示す側面図，(B)は前記(A)の針外し治具の先端部を示す拡大斜視図である。図３は、本実施例の作用を示す図である。
【００１２】
本発明の針外し治具は、主に、魚の口内にかかった釣り針（以下「針」とする）を外すために使用されるが、そのほかにも、例えば、誤って衣類に針が刺さったときに外すような場面にも利用可能である。本実施例では、魚の口内にかかった針を外す場合を例に挙げて説明する。図１及び図２に示すように、本実施例の針外し治具１０は、２本の線材の把持部の握り動作により、針６０を抜くものである。前記針外し治具１０は、第１の線材２０と、第２の線材４０と、これらを回動可能に連結するピン３０と、前記線材２０，４０を付勢するワイヤー５４と、前記第１の線材２０の先端に設けられた誘導フック２４と、第２の線材４０の先端に設けられたスリット状の開口部４４により構成されている。
【００１３】
前記第１の線材２０は、例えば、金属により全体がほぼ直線状に形成されており、一方の端部（図示の例では先端側２２）が本体部分よりも細く形成され、その先端に、針６０又は糸６６を掛けるための誘導フック２４が形成されている（図１(B)及び図２(B)参照）。該第１の線材２０は、長さ方向の略中央部分に設けられたピン３０を支点として、第２の線材４０と相対的に回動可能に連結されている。また、前記第１の線材２０は、前記ピン３０よりも後端側が、操作時に持ちやすいように、滑り止めゴム材等が設けられた把持部２８となっている。
【００１４】
次に、前記第２の線材４０は、例えば、金属により形成されており、先端側４２は、ほぼ直線状であり、後端側が前記ピン３０を境に緩やかに屈曲した形状となっている。前記第２の線材４０の先端側４２には、前記第１の線材２０の誘導フック２４が、前記線材２０の長さ方向と直交方向に貫通する開口部４４が形成されている。該第２の線材４０は、直線状部分と湾曲部分の境目が、前記ピン３０により、前記第１の線材２０と相対的に回動可能に連結されている。また、前記第２の線材４０は、前記ピン３０よりも後端側が、操作時に握りやすいように滑り止めのゴム材等が設けられた把持部５２となっている。なお、前記把持部５２は、操作レバーとして使用する。更に、図示の例では、第２の線材４０の後端４８には、完全に刺さってはいない、又は針６０を飲み込んではいない状態の針６０などを取り外すためのフック５０が形成されている。
【００１５】
前記第１の線材２０の後端２６と、前記第２の線材４０の後端４８には、ワイヤー５４がかけられている。該ワイヤー５４は、前記第１の線材２０と第２の線材４０の先端側が平行な状態において、前記誘導フック２４が前記開口部４４を貫通するように付勢する付勢手段である。前記開口部４４は、図１(B)に示すように、第２の線材４０の長さ方向に長くスリット状に形成されており、該長さ方向の先端部４４Ａと後端部４４Ｃで開口幅が狭く、中央部４４Ｂで開口幅が広く形成されている。そして、前記把持部２８，５２を握ることで、すなわち、本実施例では、前記把持部５２をレバーとしてひくことで、前記ワイヤー５４の付勢力に対抗して第１の線材２０と第２の線材４０の先端側が開き、前記誘導フック２４が前記開口部４４を通過して引き出される。
【００１６】
次に、図３も参照して、本実施例の作用を説明する。図３(A)に示すように、誘導フック２４に糸６６を通し（あるいは、ダイレクトに針６０）を通し、糸６６を誘導フック２４に沿って手で引き、針６０が開口部４４に当たるまでガイドする。そして、図３(B)に示すように、開口部４４に針６０が当たるところまできたら、前記把持部２８，５２を握る。すると、前記針外し治具１０が、図１(A)に示す状態から、図２(A)に示す状態へ、握り具合に応じて変化する。すなわち、第１の線材２０の誘導フック２４が、前記第２の線材４０の開口部４４を抜け、更に握ると、誘導フック２４が開口部４４から離れていく。
【００１７】
図３(B)及び(C)に示すように、把持部２８，５２を握って針外し治具１０の先端を開くと、針６０が開口部４４の形状にガイドされつつ引き上げられるため、魚７０の口内から抜けやすい方向に針６０が引き上げられ、簡単に取り外すこととができる。魚７０から外れた後は、針６０は、図３(D)に示すように、前記誘導フック２４により横向きに支持される。
【００１８】
更に把持部２８，５２を握って、先端を開いていくと、図３(E)に示すように、開口部４４の縁に針６０がかかるため、一度外した魚７０の口内に、再度針６０がかかることはない。また、魚７０から針６０を外したのちは、把持部２８，５２の握り動作を解除して、再度、誘導フック２４を開口部４４に入り込ませても、前記針６０は、開口部４４のスリット形状に沿って移動し、針先６２が開口部４４の後端部４４Ｃに上を向いてかかるようになる（図３(F)参照）。このため、針６０が他のものに引っ掛かるなどの事態を防ぐことができる。
【００１９】
このように、実施例１によれば、次のような効果がある。
(1)第１の線材２０の先端側２２に、糸６６又は針６０を掛ける誘導フック２４を設け、第２の線材４０の先端側に、前記誘導フック２４が貫通する開口部４４を設け、前記第１の線材２０と第２の線材４０を、ピン３０により回動可能に連結する。そして、前記第１の線材２０の後端２６と前記第２の線材４０の後端４８にかけて付勢手段であるワイヤー５４を設けて、前記第１の線材２０と第２の線材４０の先端側が平行な状態では、前記誘導フック２４が前記スリット４４を貫通するように付勢する。そして、前記第１の線材２０の把持部２８と、第２の線材４０の把持部５２を、前記ワイヤー５４の付勢力に抗して握ることで、前記誘導フック２４が前記スリット４４に沿って抜けていく。前記誘導フック２４に針６０や糸６６を通し、針６０が開口部４４に当たるまで誘導フック２４でガイドしながら糸６６を引き寄せ、当たったところで、前記把持部２８，５２を握ると、魚７０に触ることなく、簡単に短時間で魚７０の口内に刺さった針６０を取り外して、効率的に釣りを楽しむことができる。また、無駄な引っ張る力や捻じる力が必要ないため、魚７０の口内の損傷を最小限とし、魚７０への負荷を減らすことができる。
【００２０】
(2)前記開口部４４を、該開口部４４の長さ方向の中央部で開口幅が広く、前記長さ方向の両端部側で開口幅が狭いスリット形状とした。このため、魚７０から針６０を外したのちに、再度魚７０に針６０がかかることがなく、安全に魚７０から針外し治具１０を外すことができる。
(3)前記ワイヤー５４を、前記第１の線材２０の後端２６と第２の線材４０の後端４８にかけて設けることとしたので、糸６６が内側に入り込まず、絡まることがない。
(4)糸６６を持ち、針外し治具１０の把持部２８，５２を持って作業することにより、魚７０をつかまなくても針６０を抜くことができるため、魚７０を握るのが苦手な人でも、針６０を外すことが可能である。
(5)魚７０の大小や軽重に関係なく、また、針６０の飲み込み具合や口へのかかり具合も関係なく、魚７０に触れずに針外しを簡易的に行うことができる。また、糸６６がついていない針６０でも抜くことができる。更に、釣り上げた魚７０が毒魚だった際にも、毒部のヒレなどに触れずに針を外し易い。
【００２１】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材質についても同様に、前記実施例で示した例は一例であり、同様の効果を奏する範囲内で公知の各種の材質のものを使用してよい。
(2)前記実施例では、糸６６を誘導フック２４にかけることとしたが、これも一例であり、針６０を直に誘導フック２４にかけるようにしてもよい。
(3)前記実施例で示したワイヤー５４も一例であり、コイルバネを使用するなど、同様の効果を奏する範囲内で、公知の各種の付勢手段を利用してよい。
(4)前記実施例では、魚７０の口内にかかった針６０を抜くことを例に挙げて説明したが、これも一例であり、例えば、図３(G)に示すように、衣類８０などに誤って針６０がかかってしまったときに、これを外すために本発明を用いることを妨げるものではない。
(5)本発明は、魚の寸法や重量にかかわらず、魚全般に対して適用可能である。
【産業上の利用可能性】
【００２２】
本発明によれば、一端側に糸又は針を掛けるフック部を有し、全体が略直線状の第１の線材と、一端側に、前記フック部が貫通する開口部を有し、他端側が湾曲した第２の線材と、前記第１の線材と第２の線材を回動可能に連結する支点と、該支点と異なる位置に設けられており、前記第１の線材と第２の線材の先端側が平行な状態で、前記フック部が前記開口部を貫通するように付勢する付勢手段と、を備えるとともに、前記開口部は、前記第２の線材の長さ方向に長いスリット状に形成されており、前記長さ方向の中央部で開口幅が広く、前記長さ方向の両端部で開口幅が狭い形状とした。このため、魚から釣り針を外す針外し治具の用途に適用できる。
【符号の説明】
【００２３】
１０：針外し治具
２０：第１の線材
２２：先端側
２４：誘導フック
２６：後端
２８：把持部
３０：ピン
４０：第２の線材
４２：先端側
４４：開口部
４４Ａ：先端部
４４Ｂ：中央部
４４Ｃ：後端部
４８：後端
５０：フック
５２：把持部（レバー）
５４：ワイヤー
６０：針（釣り針）
６２：針先
６６：糸
７０：魚
８０：衣類
１００：針外し具
１０２：針
１０４：魚
【図１】
2018068121.tif 000003
【図２】
2018068121.tif 000004
【図３】
2018068121.tif 000005
【図４】
2018068121.tif 000006